(57)【要約】【課題】  処理能力の比較的低い携帯端末であっても、より視覚効果を向上させたトランジション効果を加える動画編集を行う。【解決手段】  画像処理部１３１は、撮影した動画、あるいはネットワークを介してダウンロードした動画に対して、トランジションパターンに従って段階的に映像効果が変化していき、オリジナル動画ファイルの先頭フレームへ遷移していくオープニング・トランジション動画や、オリジナル動画の最終フレームからトランジションパターンに従って段階的に映像効果が変化していくエンディング・トランジション動画を生成する際に、背景画像として、自機により撮影した静止画、またはネットワークを介してダウンロードした静止画、あるいはその一部切り出した画像を使用可能とする。【選択図】  図２
2005191940.tif 000002
【特許請求の範囲】
【請求項１】
撮影手段と、
複数の静止画を記憶する記憶手段と、
前記記憶手段に記憶されている複数の静止画の中から少なくとも１つの静止画を選択する静止画選択手段と、
前記撮影手段によって撮影された動画の所定のフレームと、前記静止画選択手段により選択された静止画とに基づいて、段階的な映像効果を付与した複数のフレームを生成するフレーム生成手段と、
前記フレーム生成手段により生成された複数のフレームを前記動画に結合させて新たな動画を作成する動画作成手段と
を具備することを特徴とする動画撮影装置。
【請求項２】
前記静止画選択手段により選択された静止画のサイズを、前記撮影手段によって撮影された動画のフレームサイズに合致すべくリサイズするリサイズ手段を更に具備することを特徴とする請求項１記載の動画撮影装置。
【請求項３】
前記静止画選択手段により選択された静止画の一部を切り出す切出手段を更に具備し、
前記フレーム生成手段は、前記撮影手段により撮影された動画の所定のフレームと、前記切出手段により切出された静止画の一部とに基づいて、段階的な映像効果を付与した複数のフレームを生成することを特徴とする請求項１記載の動画撮影装置。
【請求項４】
前記フレーム生成手段は、前記静止画選択手段により選択された静止画から、前記撮影手段により撮影された動画の先頭フレームへと段階的な映像効果を付与した複数のフレームを生成することを特徴とする請求項１乃至３のいずれかに記載の動画撮影装置。
【請求項５】
前記フレーム生成手段は、前記撮影手段により撮影された動画の最終フレームから前記静止画選択手段により選択された静止画へと段階的な映像効果を付与した複数のフレームを生成することを特徴とする請求項１乃至３のいずれかに記載の動画撮影装置。
【請求項６】
前記静止画は、前記撮影手段によって撮影されたものから生成されることを特徴とする請求項１乃至５のいずれかに記載の携帯端末。
【請求項７】
撮影された動画に段階的な映像効果を付与する動画編集方法において、
動画を撮影する撮影ステップと、
前記撮影ステップにて撮影された動画の所定のフレームを選択するフレーム選択ステップと、
メモリに記憶されている複数の静止画の中から少なくとも１つの静止画を選択する静止画選択ステップと、
前記フレーム選択ステップにて選択された動画の所定のフレームと、前記静止画選択ステップにて選択された静止画とに基づいて、段階的な映像効果を付与した複数のフレームを生成するフレーム生成ステップと、
前記フレーム生成ステップにて生成された複数のフレームを前記動画に結合させて新たな動画を作成する動画作成ステップと
からなること特徴とする動画編集方法。
【請求項８】
撮影部と表示部とメモリとを備えたコンピュータで実行される動画編集プログラムであって、
撮影部にて撮影された動画の所定のフレームを選択するフレーム選択ステップと、
メモリに記憶されている複数の静止画の中から少なくとも１つの静止画を選択する静止画選択ステップと、
前記フレーム選択ステップにて選択された動画の所定のフレームと、前記静止画選択ステップにて選択された静止画とに基づいて、段階的な映像効果を付与した複数のフレームを生成するフレーム生成ステップと、
前記フレーム生成ステップにて生成された複数のフレームを前記動画に結合させて新たな動画を作成する動画作成ステップと
を実行させること特徴とする動画編集プログラム。
【発明の詳細な説明】
【技術分野】
【０００１】
本発明は、動画撮影装置、動画編集方法、および、動画編集プログラムに関し、詳細には、動画撮影機能、再生機能を有するカメラ付き携帯電話のような携帯可能な動画撮影装置に関する。
【背景技術】
【０００２】
従来より、動画編集方法として、画像の色合いを変化させたり、モザイクを加えたり、動画同士を結合する際に、前の動画から後の動画へと徐々に映像を変化させて切り替えるトランジション効果を加える技術が知られている（例えば特許文献１参照）。一般に、動画編集といえば、デジタルビデオカメラで撮影した動画がパーソナルコンピュータに取り込み、パーソナルコンピュータ上の動画編集ソフトウエアにより編集作業を行っていた。また、近年、カメラ付き携帯電話においても、自機にて撮影した動画や、インターネットなどのネットワークを介してダウンロードした動画を再生する機能を備えたものが提供されている。
【０００３】
【特許文献１】特開２００３−１１０９９５号公報
【発明の開示】
【発明が解決しようとする課題】
【０００４】
ところで、近年、カメラ付き携帯電話においても、自機により撮影した動画を再生したり、インターネットなどのネットワークを介してダウンロードした動画を再生する機能を備えたものが提供されている。しかしながら、カメラ付き携帯電話では、ＣＰＵなどの処理能力あるいはメモリ容量上、トランジション効果を加えるような動画編集を行うことができたとしても、トランジション効果を確認すべくトランジション動画を表示するまでに時間を要したり、そのためのメモリも必要となるという問題があった。また、既存の動画編集ソフトの場合、生成したトランジション動画のフレームから、所望のフレームを選択して、任意にトラジションにかかる時間を短縮させたりすることが出来ず、自由度が低かった。
【０００５】
そこで本発明は、処理能力の比較的低い携帯端末であっても、より視覚効果を向上させたトランジション効果を加える動画編集を行うことができる動画撮影装置、動画編集方法および動画編集プログラムを提供することを目的とする。
【課題を解決するための手段】
【０００６】
上記目的達成のため、請求項１記載の発明による動画撮影装置は、撮影手段と、複数の静止画を記憶する記憶手段と、前記記憶手段に記憶されている複数の静止画の中から少なくとも１つの静止画を選択する静止画選択手段と、前記撮影手段によって撮影された動画の所定のフレームと、前記静止画選択手段により選択された静止画とに基づいて、段階的な映像効果を付与した複数のフレームを生成するフレーム生成手段と、前記フレーム生成手段により生成された複数のフレームを前記動画に結合させて新たな動画を作成する動画作成手段とを具備することを特徴とする。
【０００７】
また、好ましい態様として、例えば請求項２記載のように、請求項１記載の動画撮影装置において、前記静止画選択手段により選択された静止画のサイズを、前記撮影手段によって撮影された動画のフレームサイズに合致すべくリサイズするリサイズ手段を更に具備するようにしてもよい。
【０００８】
また、好ましい態様として、例えば請求項３記載のように、請求項１記載の動画撮影装置において、前記静止画選択手段により選択された静止画の一部を切り出す切出手段を更に具備し、前記フレーム生成手段は、前記撮影手段により撮影された動画の所定のフレームと、前記切出手段により切出された静止画の一部とに基づいて、段階的な映像効果を付与した複数のフレームを生成するようにしてもよい。
【０００９】
また、好ましい態様として、例えば請求項４記載のように、請求項１乃至３のいずれかに記載の動画撮影装置において、前記フレーム生成手段は、前記静止画選択手段により選択された静止画から、前記撮影手段により撮影された動画の先頭フレームへと段階的な映像効果を付与した複数のフレームを生成するようにしてもよい。
【００１０】
また、好ましい態様として、例えば請求項５記載のように、請求項１乃至３のいずれかに記載の動画撮影装置において、前記フレーム生成手段は、前記撮影手段により撮影された動画の最終フレームから前記静止画選択手段により選択された静止画へと段階的な映像効果を付与した複数のフレームを生成するようにしてもよい。
【００１１】
また、好ましい態様として、例えば請求項６記載のように、請求項１乃至５のいずれかに記載の携帯端末において、前記静止画は、前記撮影手段によって撮影されたものから生成されるようにしてもよい。
【００１２】
また、上記目的達成のため、請求項７記載の発明による動画編集方法は、撮影された動画に段階的な映像効果を付与する動画編集方法において、動画を撮影する撮影ステップと、前記撮影ステップにて撮影された動画の所定のフレームを選択するフレーム選択ステップと、メモリに記憶されている複数の静止画の中から少なくとも１つの静止画を選択する静止画選択ステップと、前記フレーム選択ステップにて選択された動画の所定のフレームと、前記静止画選択ステップにて選択された静止画とに基づいて、段階的な映像効果を付与した複数のフレームを生成するフレーム生成ステップと、前記フレーム生成ステップにて生成された複数のフレームを前記動画に結合させて新たな動画を作成する動画作成ステップとからなること特徴とする。
【００１３】
また、上記目的達成のため、請求項８記載の発明による動画編集プログラムは、撮影部と表示部とメモリとを備えたコンピュータで実行される動画編集プログラムであって、撮影部にて撮影された動画の所定のフレームを選択するフレーム選択ステップと、メモリに記憶されている複数の静止画の中から少なくとも１つの静止画を選択する静止画選択ステップと、前記フレーム選択ステップにて選択された動画の所定のフレームと、前記静止画選択ステップにて選択された静止画とに基づいて、段階的な映像効果を付与した複数のフレームを生成するフレーム生成ステップと、前記フレーム生成ステップにて生成された複数のフレームを前記動画に結合させて新たな動画を作成する動画作成ステップとを実行させること特徴とする。
【発明の効果】
【００１４】
請求項１記載の発明によれば、複数の静止画を記憶手段に記憶し、静止画選択手段により、当該記憶されている複数の静止画の中から少なくとも１つの静止画を選択し、フレーム生成手段により、前記撮影手段によって撮影された動画の所定のフレームと、前記静止画選択手段により選択された静止画とに基づいて、段階的な映像効果を付与した複数のフレームを生成し、動画作成手段により、生成された複数のフレームを前記動画に結合させて新たな動画を作成するようにしたので、処理能力の比較的低い携帯端末であっても、より視覚効果を向上させたトランジション効果を加える動画編集を行うことができるという利点が得られる。
【００１５】
また、請求項２記載の発明によれば、リサイズ手段により、前記静止画選択手段により選択された静止画のサイズを、前記撮影手段によって撮影された動画のフレームサイズに合致すべくリサイズするようにしたので、処理能力の比較的低い携帯端末であっても、処理能力の比較的低い携帯端末であっても、より視覚効果を向上させたトランジション効果を加える動画編集を行うことができるという利点が得られる。
【００１６】
また、請求項３記載の発明によれば、切出手段により、前記静止画選択手段により選択された静止画の一部を切り出し、前記フレーム生成手段により、前記撮影手段により撮影された動画の所定のフレームと、前記切出手段により切出された静止画の一部とに基づいて、段階的な映像効果を付与した複数のフレームを生成するようにしたので、処理能力の比較的低い携帯端末であっても、より視覚効果を向上させたトランジション効果を加える動画編集を行うことができるという利点が得られる。
【００１７】
また、請求項４記載によれば、前記フレーム生成手段により、前記静止画選択手段により選択された静止画から、前記撮影手段により撮影された動画の先頭フレームへと段階的な映像効果を付与した複数のフレームを生成するようにしたので、処理能力の比較的低い携帯端末であっても、より視覚効果を向上させたトランジション効果を加える動画編集を行うことができるという利点が得られる。
【００１８】
また、請求項５記載によれば、前記フレーム生成手段により、前記撮影手段により撮影された動画の最終フレームから前記静止画選択手段により選択された静止画へと段階的な映像効果を付与した複数のフレームを生成するようにしたので、処理能力の比較的低い携帯端末であっても、より視覚効果を向上させたトランジション効果を加える動画編集を行うことができるという利点が得られる。
【００１９】
また、請求項６記載の発明によれば、前記静止画を、前記撮影手段によって撮影されたものから生成されるようにしたので、処理能力の比較的低い携帯端末であっても、より視覚効果を向上させたトランジション効果を加える動画編集を行うことができるという利点が得られる。
【００２０】
また、請求項７記載の発明によれば、撮影された動画に段階的な映像効果を付与する動画編集方法において、動画を撮影する撮影ステップと、前記撮影ステップにて撮影された動画の所定のフレームを選択するフレーム選択ステップと、メモリに記憶されている複数の静止画の中から少なくとも１つの静止画を選択する静止画選択ステップと、前記フレーム選択ステップにて選択された動画の所定のフレームと、前記静止画選択ステップにて選択された静止画とに基づいて、段階的な映像効果を付与した複数のフレームを生成するフレーム生成ステップと、前記フレーム生成ステップにて生成された複数のフレームを前記動画に結合させて新たな動画を作成する動画作成ステップとからなるようにしたので、処理能力の比較的低い携帯端末であっても、より視覚効果を向上させたトランジション効果を加える動画編集を行うことができるという利点が得られる。
【００２１】
また、請求項８記載の発明によれば、撮影部と表示部とメモリとを備えたコンピュータで実行される動画編集プログラムであって、撮影部にて撮影された動画の所定のフレームを選択するフレーム選択ステップと、メモリに記憶されている複数の静止画の中から少なくとも１つの静止画を選択する静止画選択ステップと、前記フレーム選択ステップにて選択された動画の所定のフレームと、前記静止画選択ステップにて選択された静止画とに基づいて、段階的な映像効果を付与した複数のフレームを生成するフレーム生成ステップと、前記フレーム生成ステップにて生成された複数のフレームを前記動画に結合させて新たな動画を作成する動画作成ステップとを実行させるようにしたので、処理能力の比較的低い携帯端末であっても、より視覚効果を向上させたトランジション効果を加える動画編集を行うことができるという利点が得られる。
【発明を実施するための最良の形態】
【００２２】
以下、本発明の実施の形態を、カメラ付き携帯電話に適用した一実施例として、図面を参照して説明する。
【００２３】
Ａ．実施形態の構成
図１は、本発明の実施形態によるカメラ付き携帯電話の外観図（開状態：正面図、背面図）である。本実施形態における携帯電話１は、蓋部２と本体部３とからなる二つ折り構造である。スピーカ１０１は、蓋部２の前面側に設けられており、電話モードにおける通話時には音声出力を行なう。表示部（メイン表示部）１０２は、カラー液晶であり、ＱＶＧＡの解像度を有し、撮像した画像、動画やダウンロードした画像、動画を表示可能となっている。アンテナ１０３は、本体部の背面に設けられており、伸縮自在となっている。
【００２４】
カメラキー１０４は、電源オン状態におけるカメラモードへの移行、後述する撮像デバイス１３０、ＤＳＰ１２９の起動を指示するためのキーである。メールキー１０５は、メールモードへの移行、メールプログラムのロードを指示するためのキーである。十字キー１０６は、カーソルの移動、フォーカス（選択）の移動を指示するためのキーである。決定キー１０７は、モード選択を決定したり、選択を決定したりするためのキーである。アドレスキー１０８は、アドレス帳データを表示するためのキーである。
【００２５】
ネット接続キー１０９は、インターネットへ接続するためのキーである。クリアキー１１０は、選択などをキャンセルするためのキーである。オンフックキー１１１は、回線を接続するためのキーである。オフフックキー１１２は、電話モード／カメラモード兼用電源オフキー、電話モード立ち上げ用電源オンキー、回線を切断するためのキーである。テンキー１１３は、文字入力やダイアル入力を行なうためのキーである。マイク１１４は、本体部の下部に設けられており、通話時における音声入力を行なう。
【００２６】
録音用マイク１１５は、音声メモや動画撮影時の音声などを入力する。サブ表示部１１６は、蓋部の背面に設けられており、携帯電話１が閉じられた状態において、日時表示や、着信報知、メール着信報知、静止画や動画撮影時の補助画面などに用いられる。報知用ＬＥＤ１１７は、着信報知、メール着信報知を行なう。
【００２７】
撮像レンズ１１８は、蓋部２の背面、上記サブ表示部１１６の下部に設けられており、静止画や動画を撮影する。本実施形態では、出発点から目的地までの経路が描かれた手書き地図を撮影する。フラッシュ用ＬＥＤ１１９は、静止画や動画撮影時に点灯し、露出不足を防止する。報知スピーカ１２０は、着信や緊急時などを報知するものであり、蓋部２を本体部３に閉じた状態でも報知音が聞こえるように、本体部３の裏面に配置されている。
【００２８】
次に、図２は、本実施形態によるカメラ付き携帯電話１の構成を示すブロック図である。図において、無線送受信部１２１は、無線によりアンテナ１０３を介して音声やデータ（メールデータ）を送受し変調／復調するなど、ＰＳＫ方式に基づく変復調、ＣＤＭＡ方式に基づく端末認証処理を含む通信処理を行なう。
【００２９】
制御部１２２は、ＷＷＷ接続制御を含む当該機器を制御する。通信データ処理部１２２１は、ＣＬＥＰ系音声復号処理回路、パケットデータ生成回路、およびパケットデータ復元回路を含み、通信プロトコルに沿ったデータ処理を行なう。システムＲＯＭ１２２２は、当該携帯電話において、主に無線通信処理全般を制御するための基本システムプログラムを格納する。オーディオインターフェース１２２３は、通信データ処理部１２２１で処理される音声信号の入出力処理を行い、マイク１１４または録音用マイク１１５からの音声を入力して音声信号に変換して、音声信号をスピーカ１０１から出力する。
【００３０】
アドレスデータバス処理部１２３は、周辺回路（点線枠）とのデータの入出力タイミング等を制御・管理する。ＲＡＭ１２４は、アドレス帳データ、メールデータ等、電話モードにて使用するデータや、カメラモードにて撮影された画像データ、動画データ等、機器内で生成される各種データを記憶する。プログラムＲＯＭ１２５は、書換可能なＦｌａｓｈ  ＲＯＭで構成され、各種アプリケーションプログラムを格納する。
【００３１】
表示モジュール系ドライバ１２８は、サブ表示部１１６、メイン表示部１０２、ＬＥＤ１１７，１１９を駆動させる。音源ＩＣ１２６は、着信音などを生成する。アンプ１２７は、音源ＩＣ１２６からの音声信号を増幅し、スピーカ１２０から出力する。撮像デバイス１３０は、ＣＣＤ、若しくはＣＭＯＳで構成され、撮像レンズ１１８により集束された映像をカラー画像として取り込む。ＤＳＰ１２９は、撮像デバイス１３０にて取り込まれた画像を符号化処理する。
【００３２】
画像処理部１３１は、当該カメラ付き携帯電話１で撮影した動画、あるいはネットワークを介してダウンロードした動画に対して、オープニングまたはエンディング、あるいは双方に、段階的に動画が遷移していく映像効果を付加するトランジション効果を加えるべく、オリジナル動画の所定フレームを元に、トランジション効果に従った複数のフレーム（１５〜３０フレーム程度）を生成し、該フレームをエンコードすることによりトランジション動画を生成する。
【００３３】
本実施形態では、上記トランジション動画生成時に、撮影またはダウンロードした画像、あるいはその一部切り出した画像を背景画像として選択することができるようになっている。これにより、オープニング時には、背景画像からオリジナル動画の先頭フレームへ段階的に遷移していくトランジション効果を加えることが可能となる。また、エンディング時においても、オリジナル動画の最終フレームから背景画像へ段階的に遷移していくトランジション効果を加えることが可能となる。なお、背景画像が選択されない場合には、予め設定されているデフォルト画像（単一色のフレーム画像；色は選択可能）となる。  また、本実施形態では、オープニングまたはエンディング、あるいは双方の背景画像にタイトル（文字）も入力可能となっている。
【００３４】
また、画像処理部１３１は、該トランジション動画をユーザに確認させるべく再生するために、トランジション動画から数フレーム（９フレーム程度）を抽出してサムネイル表示する。サムネイル表示することにより、トランジション動画の再生までの時間の短縮、メモリの節約を実現している。また、画像処理部１３１は、オリジナル動画に上記トランジション動画を結合することで、最終的にトランジション効果が加えられた１つの動画を作成する。
【００３５】
Ｂ．実施形態の動作
次に、上述した実施形態の動作について説明する。ここで、図３ないし図１１は、本実施形態によるカメラ付き携帯電話１による動画編集の動作を説明するためのフローチャートである。また、図１２ないし図２３は、本実施形態による動画編集時におけるカメラ付き携帯電話１の表示例を示す模式図である。
【００３６】
（１）動画選択
カメラ付き携帯電話１において、動画編集が選択されると、まず、図１２に示すように、動画選択画面をメイン表示部１０２に表示する（Ｓ１０）。図１２はこのケースにおける表示部１０２の表示態様を示したものであり、現在選択されているモードがムービーモードであることを示すアイコン１０２１、電波受信状態を示すアイコン１０２２、電池残量を示すアイコン１０２３、現在時刻１０２４が常時表示され、ＲＡＭ１２４に保存されている最大９つの動画ファイルの、先頭フレームのサムネイル１０２５がマルチ表示され、その下には、再生指示領域１０２６（カメラキー１０４の操作検出に対応）、解除表示領域１０２７（決定キー１０７の操作検出に対応）、及び、確定表示領域１０２８（アドレスキー１０８の操作検出に対応）が表示されている。また、サムネイル１０２５に表示される動画ファイルとしては、自機により撮影した動画ファイル、インターネットなどのネットワークを介してダウンロードした動画ファイルなどがある。ユーザは、選択画面から動画編集（トランジション効果）を行いたい動画を、十字キー１０６を操作して選択し、アドレスキー１０８を操作して決定する。
【００３７】
ユーザの選択操作を検出することにより、次に、動画選択画面から編集対象となる動画ファイルが選択されたか否かを判断する（Ｓ１２）。そして、動画ファイルが選択されると、図１３に示すように、該当するサムネイルに選択番号を表示する（Ｓ１４）。少なくとも１つ以上の動画ファイルが選択可能となっている。ユーザは、動画ファイルを選択した後、再度アドレスキー１０８を操作して、確定操作を行う。
【００３８】
ユーザの確定操作に伴い、選択画面において、確定操作が行われたか否かを判断する（Ｓ１６）。そして、動画ファイルが選択された後、確定操作が行われると、動画編集として、オープニング編集、エンディング編集、動画再生のいずれかを行うかの選択を行う。なお、実際には、所定のメニュー画面を表示し、上記オープニング編集、エンディング編集、動画再生のいずれかを選択指定できるようにする。
【００３９】
（２）オープニング編集
まず、オープニング編集を行うか否かを判断する（Ｓ１８）。オープニング編集は、選択されたオリジナル動画ファイルの先頭フレームを用いてトランジション効果を付加したトランジション動画を作成する処理であり、トランジション動画を作成するか否かは任意に選択可能である。ユーザがオープニング編集を選択しなかった場合には、後述するエンディング編集へ進む。
【００４０】
一方、ユーザがオープニング編集を選択した場合には、図１４（ａ）または図１４（ｂ）に示すオープニング選択画面（リスト、サムネイル）を表示する（Ｓ２０）。図１４（ａ）に示すオープニング選択画面（リスト）には、動画のオープニング時のトランジションパターンのリストが表示され、解除表示領域１０２７、確定表示領域１０２８に差替えて、ＯＫ表示領域１０２９（決定キー１０７の操作検出に対応）、及び、サムネイル表示指示領域１０３０（アドレスキー１０８の操作検出に対応）が表示されている。また、図１４（ｂ）に示すオープニング選択画面（サムネイル）には、オープニングのトランジションパターンのサムネイルが表示され、解除表示領域１０２７、確定表示領域１０２８に差替えて、ＯＫ表示領域１０２９（決定キー１０７の操作検出に対応）、及び、リスト表示指示領域１０３１（アドレスキー１０８の操作検出に対応）が表示されている。図示の例では、オープニングのトランジションパターンとして、幕オープニング、カチンコスタート、台形、残像、透視、チェック、ブラインドおよびクロスが用意されている。
【００４１】
次に、該オープニング選択画面において、切り替え操作が行われたか否かを判断する（Ｓ２２）。そして、切り替え操作が行われた場合には、図１４（ａ）に示すオープニング選択画面（リスト）と図１４（ｂ）に示すオープニング選択画面（サムネイル）との間で選択画面を切り替える（Ｓ２４）。次に、オープニング選択画面（リスト、サムネイル）において、トランジション効果が選択されたか否かを判断し（Ｓ２６）、選択されなければ、ステップＳ２０へ戻り、上述したオープニング選択を繰り返す。一方、トランジション効果が選択されると、次のオープニング・トランジション動画プレビューへ進む。
【００４２】
（４）オープニング・トランジション動画プレビュー
次に、カメラ付き携帯電話１では、オープニング選択においてユーザにより選択されたトランジションパターンに従って、選択されたオリジナル動画ファイルの先頭フレームを元に、オープニング・デフォルト画面（所定の単一色画面）からトランジションパターンに従って段階的に映像効果が変化していき、オリジナル動画ファイルの先頭フレームへ遷移していくオープニング・トランジション動画を生成する（Ｓ２８）。トランジション動画生成の詳細については後述する。また、オープニング・デフォルト画面は、単一色画面以外にも、自機にて撮影した静止画やインターネットなどからダウンロードした静止画なども設定可能となっており、該オープニング・デフォルト画面の設定についても後述する。
【００４３】
次に、生成したオープニング・トランジション動画から所定のフレームを抽出する（Ｓ３０）。本実施形態では、オープニング・トランジション動画として、２〜３秒、１５〜３０フレーム程度の動画を生成し、該オープニング・トランジション動画を間引くように９フレームを抽出する。次に、抽出したフレームからサムネイルを生成し、図１５に示すように、３×３に配列してマルチ表示する（Ｓ３２）。該画面の下には、再生示領域１０２６（カメラキー１０４の操作検出に対応）、保存指示領域１０３２（決定キー１０７の操作検出に対応）、及びサブメニュー表示指示領域１０３３（アドレスキー１０８の操作検出に対応）が表示されている。図１５に示す例では、切り替えパターンとして、Ｖ字が選択された場合について示している。図示するように、オープニング・トランジション動画プレビューでは、オープニング・デフォルト画面（斜線）から選択されたトランジションパターン（Ｖ字）に従って段階的に映像効果が変化していき、オリジナル動画ファイルの先頭フレーム（Ａ）へ遷移していく様子が分かる。
【００４４】
このように、オープニング・トランジション動画から抽出したフレームのサムネイルを１画面上に並べて表示することで、どのようなトランジション効果が得られるか容易に分かる。また、オープニング・トランジション動画を９コマのサムネイルで表示することにより、表示されるまでの時間を短縮することができ、メモリを節約することもできる。
【００４５】
次に、再生を行う指示があったか否かを判断する（Ｓ３４）。そして、再生が指示されると、オープニング・トランジション動画を再生する（Ｓ３６）。再生終了後は、ステップＳ３２へ戻り、図１５に示すマルチ表示画面に戻る。一方、再生が指示されなかった場合には、ユーザにより保存が指示されたか否かを判断し（Ｓ３８）、保存が指示されれば、上記オープニング・トランジション動画をＲＡＭ１２４へ保存する（Ｓ４０）。その後、ステップＳ１８へ戻り、動画編集の選択へ戻る。
【００４６】
また、再生も保存も指示されない場合には、サブメニューが指示されたか否かを判断する（Ｓ４２）。そして、サブメニューが指示されなければ、図４のステップＳ３２へ戻り、図１５に示すマルチ表示画面に戻る。一方、サブメニューが指示された場合には、図１６に示すサブメニューを表示する。サブメニューでは、デフォルト画面である背景画像を選択するための「バックグランド」、該デフォルト画面にタイトルを入力するための「タイトル入力」が用意されている。また、画面の下には、選択を確定するためのＯＫ指示領域１０２９（決定キー１０７の操作検出に対応）、該サブメニューの画面を閉じるための閉じ指示領域１０３４（アドレスキー１０８の操作検出に対応）が表示されている。
【００４７】
まず、ユーザによる決定キー１０７の操作検出によるＯＫの指示があったか否かを判断し（Ｓ４６）、ＯＫが指示されなかった場合には、アドレスキー１０８の操作検出による閉じるが指示されたか否かを判断する（Ｓ４８）。そして、「ＯＫ」も「閉じる」も指示されなかった場合には、ステップＳ４４へ戻り、サブメニューの表示を継続する。一方、「閉じる」が指示された場合には、ステップＳ３２へ戻り、図１５に示すトランジション動画のマルチ表示画面へ戻り、上述した処理を繰り返す。
【００４８】
一方、サブメニューにて、「ＯＫ」が指示された場合には、次に、「バックグランド」が選択されていたか否かを判断する（Ｓ５０）。そして、サブメニューにて、「ＯＫ」が指示されたものの、「バックグランド」が選択されていなかった場合には、次に、「タイトル入力」が指示されているか否かを判断する（Ｓ５２）。そして、「タイトル入力」が選択された状態で、「ＯＫ」が指示された場合には、オープニングの開始画面に表示すべきタイトル入力を行う（Ｓ５４）。タイトル入力では、図１７に示すメッセージ入力画面を表示し、動画再生と同時にテロップ表示されるメッセージを入力する。次に、ユーザによりメッセージを入力した後、確定操作（アドレスキー１０８の操作）が行われると、その後、ステップＳ４４へ戻り、サブメニューの表示を継続する。
【００４９】
一方、サブメニューにおいて、「バックグランド」が選択された状態で、「ＯＫ」が指示されると、図１８に示すように、データフォルダ画像一覧インデックスを表示する（Ｓ５６）。該画面には、自機にて撮影した画像やダウンロードした画像の一覧が表示されている。また、該画面の下には、一覧から選択した静止画をオープニングの背景画像として登録するための登録示領域１０３５（カメラキー１０４の操作検出に対応）、選択した静止画を表示（プレビュー）するための表示指示領域１０３６（決定キー１０７の操作検出に対応）、及び、サブメニューに戻るためのサブメニュー表示指示領域１０３３（アドレスキー１０８の操作検出に対応）が表示されている。
【００５０】
次に、一覧からオープニングの背景画像として登録する画像が選択された状態で、「登録」が指示されたか否かを判断する（Ｓ５８）。そして、一覧からいずれかの画像がオープニングの背景画像として選択された状態で、「登録」が指示されると、選択された画像をオリジナル動画のフレームサイズに合わせるべくリサイズ（縮小／拡大）し（Ｓ６０）、背景画像として登録する（Ｓ６２）。したがって、この場合、選択された画像全体がオープニングの背景画像として登録されることになる。その後、図４のステップＳ２８へ戻る。以下、上述したように、再度、選択された画像からトランジションパターンに従って段階的に映像効果が変化していき、オリジナル動画ファイルの先頭フレームへ遷移していくオープニング・トランジション動画を生成し（Ｓ２８）、所定のフレームをマルチ表示し（Ｓ３２）、再生（Ｓ３６）や保存（Ｓ４０）などを行う。
【００５１】
一方、図１８に示すデータフォルダ画像一覧インデックス表示画面において、「登録」が指示されなかった場合には、オープニングの背景画像として登録する画像が選択された状態で、「表示」が指示されたか否かを判断する（Ｓ６６）。そして、登録も表示も指示されなかった場合には、「サブメニュー」が指示されたか否かを判断する（Ｓ８６）。そして、サブメニューが指示された場合には、ステップＳ４４のサブメニュー表示へ戻り、以下、上述した処理を繰り返す。一方、登録も表示もサブメニューも指示されない場合には、ステップＳ５６のデータフォルダ画像一覧インデックス表示へ戻り、以下、上述した処理を繰り返す。
【００５２】
また、データフォルダ画像一覧インデックス表示画面において、オープニングの背景画像として登録する画像が選択された状態で、「表示」が指示された場合には、図１９に示すように、選択された画像１０３７と枠１０３８を表示する（Ｓ６８）。該枠１０３８は、オープニングの背景画像として切り取る領域を示している。該画面の下には、データフォルダ画像一覧インデックス表示画面に戻るための戻る指示示領域１０３９（カメラキー１０４の操作検出に対応）、枠１０３８で切り出した画像をオープニングの背景画像として登録するための登録指示表示領域１０４０（決定キー１０７の操作検出に対応）、及び、枠１０３８の大きさを切り替えるための切替指示表示領域１０４１（アドレスキー１０８の操作検出に対応）が表示されている。次に、移動キー（十字キー１０６）が操作されたか否かを判断し（Ｓ７０）、移動キーが操作された場合には、操作に応じて枠１０３８を移動させる（Ｓ７２）。その後、ステップＳ６８へ戻り、上述した処理を繰り返す。
【００５３】
一方、図１９に示す画面にて、移動キー（十字キー１０６）が操作されない場合には、切替が指示されたか否かを判断する（Ｓ７４）。そして、切替が指示された場合には、枠１０３８の大きさを切り替え（Ｓ８０）、その後、ステップＳ６８へ戻り、上述した処理を繰り返す。また、移動キーも切替も指示されなかった場合には、登録が指示されたか否かを判断する（Ｓ７８）。そして、登録も指示されなかった場合（戻るが指示された場合）には、ステップＳ５６、すなわち図１８に示すデータフォルダ画像一覧インデックス表示画面に戻る。
【００５４】
ユーザは、画面上の枠１０３８を移動もしくは切り替えながら、オープニングの背景画像として切り取る領域を指定し、登録を指示する。登録が指示されると、枠１０３８内の画像を切り出し（Ｓ８０）、切り出した画像をオオリジナル動画のフレームサイズに合わせるべくリサイズ（縮小／拡大）し（Ｓ８２）、背景画像として登録する（Ｓ８４）。したがって、この場合、枠１０３８によって指定された部分画像がオープニングの背景画像として登録されることになる。その後、図４のステップＳ２８へ戻る。以下、上述したように、再度、選択された画像からトランジションパターンに従って段階的に映像効果が変化していき、オリジナル動画ファイルの先頭フレームへ遷移していくオープニング・トランジション動画を生成し（Ｓ２８）、所定のフレームをマルチ表示し（Ｓ３２）、再生（Ｓ３６）や保存（Ｓ４０）などを行う。
【００５５】
図２０には、オープニングの背景画像（Ｈ）が選択された状態でのオープニング・トランジション動画のマルチ表示例を示している。図示するように、オープニング・トランジション動画のマルチ表示画面では、選択された画像（斜線：Ｈ）からトランジションパターン（Ｖ字）に従って段階的に映像効果が変化していき、オリジナル動画ファイルの先頭フレーム（Ａ）へ遷移していく様子が分かる。
【００５６】
ユーザが、最終的に、オープニング・トランジション動画のサムネイルを確認し、保存の指示を行うと、上記オープニング・トランジション動画をＲＡＭ１２４に保存する（Ｓ４０）。その後、ステップＳ１８へ戻り、オープニング編集の選択へ戻る。
【００５７】
（５）エンディング編集
次に、動画編集の選択において、上述したオープニング編集が選択されなかった場合（オープニング編集を行わない場合、あるいはオープニング編集の終了後）には、エンディング編集を行うか否かを判断する（Ｓ９０）。エンディング編集は、選択されたオリジナル動画ファイルの最終フレームを用いてトランジション効果を付加したトランジション動画を作成する処理であり、エンディング編集を行うか否かは任意に選択可能である。ユーザがエンディング編集を選択しなかった場合には、後述する再生処理へ進む。
【００５８】
一方、ユーザがエンディング編集を選択した場合には、図２１（ａ）または図２１（ｂ）に示すエンディング選択画面（リスト、サムネイル）を表示する（Ｓ９２）。図２１（ａ）に示すエンディング選択画面（リスト）には、動画のエンディング時のトランジションパターンのリストが表示される。また、図２１（ｂ）に示すエンディング選択画面（サムネイル）には、エンディングのトランジションパターンのサムネイルが表示される。図示の例では、エンディングのトランジションパターンとして、幕オープニング、カチンコスタート、台形、残像、透視、チェック、ブラインドおよびクロスが用意されている。
【００５９】
次に、該エンディング選択画面において、切り替え操作が行われたか否かを判断する（Ｓ９４）。そして、切り替え操作が行われた場合には、図２１（ａ）に示すエンディング選択画面（リスト）と図２１（ｂ）に示すエンディング選択画面（サムネイル）との間で選択画面を切り替える（Ｓ９６）。次に、エンディング選択画面（リスト、サムネイル）において、トランジション効果が選択されたか否かを判断し（Ｓ９８）、選択されなければ、ステップＳ９２へ戻り、上述したエンディング選択を繰り返す。一方、トランジション効果が選択されると、次のエンディング・トランジション動画プレビューへ進む。
【００６０】
（６）エンディング・トランジション動画プレビュー
次に、カメラ付き携帯電話１では、エンディング選択においてユーザにより選択されたトランジションパターンに従って、選択されたオリジナル動画ファイルの最終フレームを元に、オリジナル動画ファイルの最終フレームからトランジションパターンに従って段階的に映像効果が変化していき、エンディング・デフォルト画面（所定の単一色画面）へ遷移していくエンディング・トランジション動画を生成する（Ｓ１００）。トランジション動画生成の詳細については後述する。また、エンディング・デフォルト画面は、単一色画面以外にも、自機にて撮影した静止画やインターネットなどからダウンロードした静止画なども設定可能となっており、該エンディング・デフォルト画面の設定についても後述する。
【００６１】
次に、生成したエンディング・トランジション動画から所定のフレームを抽出する（Ｓ１０２）。本実施形態では、エンディング・トランジション動画として、２〜３秒、１５〜３０フレーム程度の動画を生成し、該エンディング・トランジション動画を間引くように９フレームを抽出する。次に、抽出したフレームからサムネイルを生成し、図２２に示すように、３×３に配列してマルチ表示する（Ｓ１０４）。図示するように、エンディング・トランジション動画プレビューでは、オリジナル動画ファイルの最終フレーム（Ｂ）からトランジションパターン（Ｖ字）に従って段階的に映像効果が変化していき、エンディング・デフォルト画面（斜線）へ遷移していく様子が分かる。
【００６２】
このように、エンディング・トランジション動画から抽出したフレームのサムネイルを１画面上に並べて表示することで、どのようなトランジション効果が得られるか容易に分かる。また、エンディング・トランジション動画を９コマのサムネイルで表示することにより、表示されるまでの時間を短縮することができ、メモリを節約することもできる。
【００６３】
次に、再生を行うか否かを判断する（Ｓ１０６）。そして、再生が指示されると、エンディング・トランジション動画を再生する（Ｓ１０８）。再生終了後は、ステップＳ１０４へ戻り、図２２に示すマルチ表示画面に戻る。一方、再生が指示されなかった場合には、ユーザにより保存が指示されたか否かを判断し（Ｓ１１０）、保存が指示されれば、上記エンディング・トランジション動画をＲＡＭ１２４へ保存する（Ｓ１１２）。その後、ステップＳ１８へ戻り、動画編集の選択へ戻る。
【００６４】
また、再生も保存も指示されない場合には、サブメニューが指示されたか否かを判断する（Ｓ１１４）。そして、サブメニューが指示されなければ、図７のステップＳ１０４へ戻り、図２２に示すマルチ表示画面に戻る。一方、サブメニューが指示された場合には、オープニング編集と同様に図１７に示すサブメニューを表示する（Ｓ１１６）。
【００６５】
まず、ユーザによる決定キー１０７の操作検出によるＯＫの指示があったか否かを判断し（Ｓ１１８）、ＯＫが指示されなかった場合には、アドレスキー１０８の操作検出による閉じるが指示されたか否かを判断する（Ｓ１２０）。そして、「ＯＫ」も「閉じる」も指示されなかった場合には、ステップＳ１１６へ戻り、サブメニューの表示を継続する。一方、「閉じる」が指示された場合には、ステップＳ１０４へ戻り、図２２に示すトランジション動画のマルチ表示画面へ戻り、上述した処理を繰り返す。
【００６６】
一方、サブメニューにて、「ＯＫ」が指示された場合には、次に、「バックグランド」が選択されていたか否かを判断する（Ｓ１２２）。そして、サブメニューにて、「ＯＫ」が指示されたものの、「バックグランド」が選択されていなかった場合には、次に、「タイトル入力」が指示されているか否かを判断する（Ｓ１２４）。そして、「タイトル入力」が選択された状態で、「ＯＫ」が指示された場合には、エンディングの最終画面に表示すべきタイトル入力を行う（Ｓ１２６）。タイトル入力では、図１７に示すメッセージ入力画面を表示し、動画再生と同時にテロップ表示されるメッセージを入力する。次に、ユーザによりメッセージを入力した後、確定操作（アドレスキー１０８の操作）が行われると、その後、ステップＳ１１６へ戻り、サブメニューの表示を継続する。
【００６７】
一方、「バックグランド」が選択された状態で、「ＯＫ」が指示されると、オープニング編集と同様に、図１８に示すように、データフォルダ画像一覧インデックスを表示する（Ｓ１２８）。次に、一覧からエンディングの背景画像として登録する画像が選択された状態で、「登録」が指示されたか否かを判断する（Ｓ１３０）。そして、一覧からいずれかの画像がエンディングの背景画像として選択された状態で、「登録」が指示されると、選択された画像をオリジナル動画のフレームサイズに合わせるべくリサイズ（縮小／拡大）し（Ｓ１３２）、背景画像として登録する（Ｓ１３４）。したがって、この場合、選択された画像全体がエンディングの背景画像として登録されることになる。その後、図７のステップＳ１００へ戻る。以下、上述したように、再度、オリジナル動画ファイルの最終フレームからトランジションパターンに従って段階的に映像効果が変化していき、選択された画像へ遷移していくエンディング・トランジション動画を生成し（Ｓ１００）、所定のフレームをマルチ表示し（Ｓ１０４）、再生（Ｓ１０８）や保存（Ｓ１１０）などを行う。
【００６８】
一方、図１８に示すデータフォルダ画像一覧インデックス表示画面において、「登録」が指示されなかった場合には、エンディングの背景画像として登録する画像が選択された状態で、「表示」が指示されたか否かを判断する（Ｓ１３６）。そして、登録も表示も指示されなかった場合には、「サブメニュー」が指示されたか否かを判断する（Ｓ１５６）。そして、サブメニューが指示された場合には、ステップＳ１１６のサブメニュー表示へ戻り、以下、上述した処理を繰り返す。一方、登録も表示もサブメニューも指示されない場合には、ステップＳ１２８のデータフォルダ画像一覧インデックス表示へ戻り、以下、上述した処理を繰り返す。
【００６９】
また、データフォルダ画像一覧インデックス表示画面において、エンディングの背景画像として登録する画像が選択された状態で、「表示」が指示された場合には、オープニング編集時と同様に、図１９に示すように、選択された画像１０３７と枠１０３８を表示する（Ｓ１３８）。該枠１０３８は、エンディングの背景画像として切り取る領域を示す。次に、移動キー（十字キー１０６）が操作されたか否かを判断し（Ｓ１４０）、移動キーが操作された場合には、操作に応じて枠１０３８を移動させる（Ｓ１４２）。その後、ステップＳ１３８へ戻り、上述した処理を繰り返す。
【００７０】
一方、図１９に示す画面にて、移動キー（十字キー１０６）が操作されない場合には、切替が指示されたか否かを判断する（Ｓ１４４）。そして、切替が指示された場合には、枠１０３８の大きさを切り替え（Ｓ１４６）、その後、ステップＳ１３６へ戻り、上述した処理を繰り返す。また、移動キーも切替も指示されなかった場合には、登録が指示されたか否かを判断する（Ｓ１４８）。そして、登録も指示されなかった場合（戻るが指示された場合）には、ステップＳ１２８、すなわち図１８に示すデータフォルダ画像一覧インデックス表示画面に戻る。
【００７１】
ユーザは、画面上の枠１０３８を移動もしくは切り替えながら、エンディングの背景画像として切り取る領域を指定し、登録を指示する。登録も指示されると、枠１０３８内の画像を切り出し（Ｓ１５０）、切り出した画像をオリジナル動画のフレームサイズに合わせるべくリサイズ（縮小／拡大）し（Ｓ１５２）、背景画像として登録する（Ｓ１５４）。したがって、この場合、枠によって指定された部分画像がエンディングの背景画像として登録されることになる。その後、図７のステップＳ１００へ戻る。以下、上述したように、再度、オリジナル動画ファイルの最終フレームからトランジションパターンに従って段階的に映像効果が変化していき、選択された画像へ遷移していくエンディング・トランジション動画を生成し（Ｓ１００）、所定のフレームをマルチ表示し（Ｓ１０４）、再生（Ｓ１０８）や保存（Ｓ１１２）などを行う。
【００７２】
図２３には、エンディングの背景画像（Ｈ）が選択された状態でのエンディング・トランジション動画のマルチ表示例を示している。図示するように、エンディング・トランジション動画のマルチ表示画面では、オリジナル動画ファイルの最終フレーム（Ｂ）からトランジションパターン（Ｖ字）に従って段階的に映像効果が変化していき、選択された画像（斜線：Ｈ）へ遷移していく様子が分かる。
【００７３】
ユーザが、最終的に、エンディング・トランジション動画のサムネイルを確認し、保存の指示を行うと、上記エンディング・トランジション動画をＲＡＭ１２４に保存する（Ｓ１１２）。その後、ステップＳ１８へ戻り、オープニング編集の選択へ戻る。
【００７４】
（７）再生処理
次に、動画編集の選択において、上述したオープニング編集が選択されなかった場合（オープニング編集を行わない場合、あるいはオープニング編集の終了後）や上述したエンディング編集が選択されなかった場合（エンディング編集を行わない場合、あるいはエンディング編集の終了後）には、再生を行うか否かを判断する（Ｓ１５８）。そして、再生が指示されなかった場合には、後述する保存へ進む。一方、再生が指示されると、オリジナル動画ファイルとこれまでに生成したトランジション動画ファイル（オープニング・トランジション動画、エンディング・トランジション動画）とを結合する（Ｓ１６０）。
【００７５】
オリジナル動画ファイルに対して、オープニングにトランジション効果を加えた場合には、図２４（ａ）に示すような動画となり、エンディングにトランジション効果を加えた場合には、図２４（ｂ）に示すような動画となり、さらに、双方にトランジション効果を加えた場合には、図２４（ｃ）に示すような動画となる。
【００７６】
次に、結合した動画ファイルを再生する（Ｓ１６２）。次に、ユーザにより保存が指示されたか否かを判断し（Ｓ１６４）、保存が指示されなければ、終了が指示されたか否かを判断し（Ｓ１６８）、終了が指示されなければ、図３に示すステップＳ１０へ戻り、動画選択からやり直す。一方、終了が指示されれば、当該動画編集を終了する。また、保存が指示されれば、上記結合した動画ファイルをＲＡＭ１２４へ保存する（Ｓ１６６）。そして、終了が指示されたか否かを判断し（Ｓ１６８）、終了が指示されなければ、図３に示すステップＳ１０へ戻り、動画選択からやり直す。一方、終了が指示されれば、当該動画編集を終了する。
【００７７】
（８）トランジション動画生成
次に、上述したトランジション動画の生成手順について説明する。まず、オリジナル動画の先頭フレームまたは最終フレームを取得する（Ｓ２００）。すなわち、１つの動画が選択され、オープニングでのトランジション効果が選択されている場合には、動画の先頭フレームを取得し、エンディングでのトランジション効果が選択されている場合には、動画の最終フレームを取得する。
【００７８】
次に、先頭フレームまたは最終フレーム、および選択された画像（自機により撮影された静止画やダウンロードして取得した静止画）を元に、オープニング、またはエンディングにおけるトランジション効果を加えたフレームを生成し（Ｓ２０２）、トランジション効果を加えたフレームをエンコードする（Ｓ２０４）。次に、所定のフレーム数だけ生成したか否かを判断する（Ｓ２０６）。このとき、生成されるフレームは、１５〜３０フレーム程度とする。以下、所定のフレーム数（１５〜３０フレーム程度）を生成するまで、ステップＳ２０２〜Ｓ２０６を繰り返し実行する。そして、所定のフレーム数だけのトランジション効果を加えたフレームを作成すると、エンコードしたフレームのヘッダを調整し、トランジション動画を生成する（Ｓ２０８）。その後、所定の処理へ戻る。
【００７９】
なお、上述した実施形態においては、トランジション効果を付加した動画ファイルを、図示しない着脱可能な外部記録媒体に保存するようにしてもよい。また、トランジション効果を付加した動画ファイルをメールに添付して送信したり、ホームページへアップするようにしてもよい。また、Ｆｌａｓｈ用の動画へ変換するようにしてもよい。
【００８０】
また、上述した実施の形態では、カメラ（動画撮影機能）付携帯電話についてのものだが、半導体記憶媒体を備えたデジタルビデオカメラ（モーションＪＰＥＧによる動画撮影機能を備えるデジタルカメラ）や動画撮影機能を備えたＰＤＡ、あるいは、放送メディアを受信・記録できる各種電子機器にも本発明は適用できる。
【図面の簡単な説明】
【００８１】
【図１】本発明の実施形態によるカメラ付き携帯電話の外観図（開状態：正面図、背面図）である。
【図２】本実施形態によるカメラ付き携帯電話１の構成を示すブロック図である。
【図３】本実施形態によるカメラ付き携帯電話１による動画編集の動作を説明するためのフローチャートである。
【図４】本実施形態によるカメラ付き携帯電話１による動画編集の動作を説明するためのフローチャートである。
【図５】本実施形態によるカメラ付き携帯電話１による動画編集の動作を説明するためのフローチャートである。
【図６】本実施形態によるカメラ付き携帯電話１による動画編集の動作を説明するためのフローチャートである。
【図７】本実施形態によるカメラ付き携帯電話１による動画編集の動作を説明するためのフローチャートである。
【図８】本実施形態によるカメラ付き携帯電話１による動画編集の動作を説明するためのフローチャートである。
【図９】本実施形態によるカメラ付き携帯電話１による動画編集の動作を説明するためのフローチャートである。
【図１０】本実施形態によるカメラ付き携帯電話１による動画編集の動作を説明するためのフローチャートである。
【図１１】本実施形態によるカメラ付き携帯電話１による動画編集（トランジション動作生成）の動作を説明するためのフローチャートである。
【図１２】本実施形態の動画編集処理における動画選択画面を示す模式図である。
【図１３】本実施形態の動画編集処理における、動画のサムネイルに選択番号を表示する画面を示す模式図である。
【図１４】オープニング選択画面（リスト、サムネイル）を示す模式図である。
【図１５】オープニングにおけるトランジション動画のプレビュー画面を示す模式図である。
【図１６】オープニングまたはエンディングに用いる背景画像の選択、タイトル入力を選択する際のサブメニュー画面を示す模式図である。
【図１７】タイトル入力画面を示す模式図である。
【図１８】オープニングまたはエンディングに用いる背景画像を選択する際の画面を示す模式図である。
【図１９】オープニングまたはエンディングに用いる背景画像から切り出し領域を指定する画面を示す模式図である。
【図２０】オープニングにおいて、選択した画像から動画の先頭フレームへ遷移していくトランジション動画のプレビュー画面を示す模式図である。
【図２１】エンディング選択画面（リスト、サムネイル）を示す模式図である。
【図２２】エンディングにおけるトランジション動画のプレビュー画面を示す模式図である。
【図２３】エンディングにおいて、動画の最終フレームから選択した画像へ遷移していくトランジション動画のプレビュー画面を示す模式図である。
【図２４】１つの動画に対して、オープニングまたはエンディング、あるいは双方にトランジション効果を加えた状態を示す概念図である。
【符号の説明】
【００８２】
１  携帯電話
２  蓋部
３  本体部
１０１  スピーカ
１０２  メイン表示部
１０３  アンテナ
１０４  カメラキー
１０５  メールキー
１０６  十字キー（静止画選択手段）
１０７  決定キー（静止画選択手段）
１０８  アドレスキー
１０９  ネット接続キー
１１０  クリアキー
１１１  オンフックキー
１１２  オフフックキー
１１３  テンキー
１１４  マイク
１１５  録音用マイク
１１６  サブ表示部
１１７  報知用ＬＥＤ
１１８  撮像レンズ（撮影手段）
１１９  フラッシュ用ＬＥＤ
１２０  報知スピーカ
１２１  無線送受信部
１２２  制御部
１２３  アドレスデータバス処理部
１２４  ＲＡＭ（記憶手段）
１２５  プログラムＲＯＭ
１２６  音源ＩＣ
１２７  アンプ
１２８  表示モジュール系ドライバ
１２９  ＤＳＰ（撮影手段）
１３０  撮像デバイス（撮影手段）
１３１  画像処理部（フレーム生成手段、動画作成手段、結合手段、リサイズ手段、切出手段）
１２２１  通信データ処理部
１２２３  オーディオインターフェース
１２２２  システムＲＯＭ
【図１】
2005191940.tif 000003
【図２】
2005191940.tif 000004
【図３】
2005191940.tif 000005
【図４】
2005191940.tif 000006
【図５】
2005191940.tif 000007
【図６】
2005191940.tif 000008
【図７】
2005191940.tif 000009
【図８】
2005191940.tif 000010
【図９】
2005191940.tif 000011
【図１０】
2005191940.tif 000012
【図１１】
2005191940.tif 000013
【図１２】
2005191940.tif 000014
【図１３】
2005191940.tif 000015
【図１４】
2005191940.tif 000016
【図１５】
2005191940.tif 000017
【図１６】
2005191940.tif 000018
【図１７】
2005191940.tif 000019
【図１８】
2005191940.tif 000020
【図１９】
2005191940.tif 000021
【図２０】
2005191940.tif 000022
【図２１】
2005191940.tif 000023
【図２２】
2005191940.tif 000024
【図２３】
2005191940.tif 000025
【図２４】
2005191940.tif 000026